(57)【要約】【課題】スイッチオン・オフ時の表示像の現れ方や消え方の単調さを解消し、面白みや斬新性を付与することが可能な表示装置を提供する。【解決手段】指針式表示部ＰＤの指針式発光表示像（第１の表示像）ＰＤＬを発光表示する第１の発光表示ユニット（第１の発光体）１と、第１，第２のグラフィック表示部ＧＤ１，ＧＤ２の発光表示像（第２の表示像）ＧＤＬ１，ＧＤＬ２を発光表示する第２の発光表示ユニット（第２の発光体）２と、これら第１，第２の発光表示ユニット１，２の間に配置され指針式発光表示像ＰＤＬを観察者側に透過し、発光表示像（第２の表示像）ＧＤＬ１，ＧＤＬ２を観察者側に反射する透過型反射パネル３と、第１，第２の発光表示ユニット１，２の発光状態を制御する制御手段４とを備えており、制御手段４は所定のスイッチＳＷ操作に応じて第１，第２の発光表示ユニット１，２を所定の順序で発光または非発光状態とする。【選択図】　図１
2004061325.tif 000002
【特許請求の範囲】
【請求項１】
第１の表示像を発光表示する第１の発光体と、
第２の表示像を発光表示する第２の発光体と、
これら第１，第２の発光体の間に配置され前記第１の表示像を観察者側に透過し前記第２の表示像を前記観察者側に反射する透過型反射パネルと、
前記第１，第２の発光体の発光状態を制御する制御手段とを備え、
前記制御手段は所定のスイッチ操作に応じて前記第１，第２の発光体を所定の順序で発光または非発光状態とすることを特徴とする車両用表示装置。
【請求項２】
前記第１，第２の表示像が遠近差を有して前記観察者に視認されることを特徴とする請求項１記載の車両用表示装置。
【請求項３】
前記制御手段が前記第１の発光体を発光させた後に前記第２の発光体を発光させることを特徴とする請求項１または請求項２記載の車両用表示装置。
【請求項４】
前記制御手段が前記第２の発光体を発光させた後に前記第１の発光体を発光させることを特徴とする請求項１または請求項２記載の車両用表示装置。
【請求項５】
前記制御手段が前記第１の発光体を非発光状態とした後に前記第２の発光体を非発光状態とすることを特徴とする請求項１または請求項２記載の車両用表示装置。
【請求項６】
前記制御手段が前記第２の発光体を非発光状態とした後に前記第１の発光体を非発光状態とすることを特徴とする請求項１または請求項２記載の車両用表示装置。
【発明の詳細な説明】
【０００１】
【産業上の利用分野】
本発明は、例えば自動車等に搭載される車両用表示装置に関し、特に互いに異なる発光体によって発光表示される表示像を、透過型反射パネルの透過・反射作用を利用して観察者に表示する車両用表示装置に係わるものである。
【０００２】
【従来の技術】
従来、この種の車両用表示装置として、例えば特開平９−２５７５２３号公報に示されているものが知られている。この車両用表示装置は、指針式の表示像を形成する発光式メータ（発光体）と、ナビゲーション情報からなる表示像を形成する発光型表示器（発光体）と、これら発光式メータと発光型表示器との間に配置される透過型反射パネルとで構成されている。
【０００３】
透過型反射パネルは、その一面が発光式メータ側を向き、それとは反対側を向く他面が発光型表示器側及び観察者側を向くよう傾いた状態で配置され、発光式メータの表示像を観察者側に透過させ、発光型表示器の表示像を観察者側に反射することにより、発光式メータの表示像を実像で、発光型表示器の表示像を虚像で表示するようになっている。
【０００４】
【発明が解決しようとする課題】
しかしながら、前掲公報に代表されるこの種の車両用表示装置では、観察者が図示しない車両のイグニッションスイッチ（スイッチ）をオン操作すると、発光式メータと発光型表示器とが同時に発光し、透過型反射パネルに実像と虚像が表示され、またイグニッションスイッチをオフ操作すると、発光式メータと発光型表示器とが同時に非発光状態となり、それまで透過型反射パネル上に表示されていた実像と虚像が消えるのが普通である。このため、スイッチオン・オフ時の表示像の現れ方や消え方が単調であり、面白みや斬新性に乏しいという問題がある。
【０００５】
本発明は、この点に鑑みてなされたもので、その主な目的は、スイッチオン時またはオフ時の単調さを解消し得る車両用表示装置を提供するものである。
【０００６】
【課題を解決するための手段】
本発明は前記目的を達成するため、第１の表示像を発光表示する第１の発光体と、第２の表示像を発光表示する第２の発光体と、これら第１，第２の発光体の間に配置され前記第１の表示像を観察者側に透過し前記第２の表示像を前記観察者側に反射する透過型反射パネルと、前記第１，第２の発光体の発光状態を制御する制御手段とを備え、前記制御手段は所定のスイッチ操作に応じて前記第１，第２の発光体を所定の順序で発光または非発光状態とすることを特徴とする。
【０００７】
また本発明は、前記第１，第２の表示像が遠近差を有して前記観察者に視認されることを特徴とする。
【０００８】
また本発明は、前記制御手段が前記第１の発光体を発光させた後に前記第２の発光体を発光させることを特徴とする。
【０００９】
また本発明は、前記制御手段が前記第２の発光体を発光させた後に前記第１の発光体を発光させることを特徴とする。
【００１０】
また本発明は、前記制御手段が前記第１の発光体を非発光状態とした後に前記第２の発光体を非発光状態とすることを特徴とする。
【００１１】
また本発明は、前記制御手段が前記第２の発光体を非発光状態とした後に前記第１の発光体を非発光状態とすることを特徴とする。
【００１２】
【発明の実施の形態】
以下、添付図面に基づき本発明による表示装置の実施形態を説明する。
【００１３】
図１から図５は、本発明による車両用表示装置の実施形態を示すもので、図１は車両用表示装置の断面図、図２は本実施形態で採用される第２の発光表示ユニットを示す断面図、図３は本実施形態による表示像を正面から見たときの正面図、図４は本実施形態による表示像を斜め前方から見たときの斜視図、図５は本実施形態による各発光表示ユニットの発光・非発光時期を示すタイミング図である。
【００１４】
図１において、本実施形態による表示装置は、第１の発光表示ユニット（第１の発光表体）１と、この第１の発光表示ユニット１とは異なる情報を表示する第２の発光表示ユニット（第２の発光体）２と、これら発光表示ユニット１，２間に配置される透過型反射パネル３と、各発光表示ユニット１，２の動作を制御する制御手段４とを有する。
【００１５】
第１の発光表示ユニット１は、計測量として車速に応じて回転軸を回転させる駆動装置１１と、この駆動装置１１によって回転する指針１２と、この指針１２の背後に配置される表示板１３とを有し、表示板１３には指針１２の指示対象となる目盛や数字、図形等の指標部１４が印刷され、この指標部１４と指針１２とで指針式表示部ＰＤを形成する。
【００１６】
指針１２及び表示板１３の背後には、例えば発光ダイオードからなる光源１５がそれぞれ配置され、この光源１５の点灯により指針１２及び指標部１４がバックライト照明され、これにより指針式表示部ＰＤの指針式発光表示像（第１の表示像）ＰＤＬを形成する（図３，図４参照）。なおこの場合、指針１２は光源１５の光を受けて線状に発光する光透過性の指示部を備え、また指標部１４は光透過性のインクによって印刷形成され、その背景は遮光性のインクによって印刷形成されている。
【００１７】
第２の発光表示ユニット２は、図２に示すように、発光表示素子２１と、導光体２２と、これら発光体２１及び導光体２２を収納するケース２３とを有する。
【００１８】
発光表示素子２１は、例えば、ガラス基板２１１上に金属電極２１２、有機発光層２１３、透明電極２１４の積層体を設け、その積層体を封止枠２１５にて封止し、各電極２１２，２１４間に直流電力を供給することにより、各電極２１２，２１４間に挟まれた有機発光層２１３領域が発光する有機ＥＬ（エレクトロルミネッセンス）パネルが使用されている。
【００１９】
透明電極２１４は、その中央部に位置する電極部２１４ａがセグメント形状に区分されており、各セグメントへの電力供給を制御することにより、所定の数字や文字からなる第１のグラフィック表示部ＧＤ１の発光表示像（第２の表示像）ＧＤＬ１を形成する（図３，４参照）。この場合、グラフィック表示部ＧＤ１は、車両の走行距離データを数字や文字で表示するようになっているが、走行距離に代えて外気温度、水温、燃料残量等を表示するようにしてもよいし、走行距離と合わせてこれらの情報を表示するようにしてもよい。
【００２０】
一方、透明電極２１４中、両側に位置する電極部２１４ｂは、電極部２１４ａの外周を取り巻くアーチ形状に形成されており、この部分に電力供給を行うことにより、アーチ形の発光部を形成する。
【００２１】
導光体２２は、透明な合成樹脂からなり、電極部（発光部）２１４ｂに対向する受光部２２１と、この受光部２２１から取り入れた光を外周に導く板状部２２２と、この板状部２２２にて導光した光を外部に放射する照射部２２３とを有し、この照射部２２３を通じて放射される光によって第２のグラフィック表示部ＧＤ２の発光表示像（第２の表示像）ＧＤＬ２が形成され（図３，図４参照）、この第２のグラフィック表示部ＧＤ２の発光表示像ＧＤＬ２が後に詳述する透過型反射パネル３を通じて指針式発光表示像ＰＤＬの輪郭を形成する。
【００２２】
なお第２の発光表示ユニット２は、少なくとも第２のグラフィック表示部ＧＤ２の発光表示像ＧＤＬ２を形成できれば、その構成は任意であり、例えば発光体２１として有機ＥＬパネルに替えて無機ＥＬパネルを用いてもよいし、蛍光表示管（ＶＦＤ）のごとき自発光型の表示素子を用いてもよい。また受光型の表示素子として液晶表示パネル（ＬＣＤ）や表示板１３のごとき印刷パネルを適用し、これにＥＬパネル等の面状光源、発光ダイオードやフィラメントバルブ等の点状光源、蛍光灯（ＣＣＴ）等の線状光源を組み合わせてもよい。さらに本例ではＥＬパネルと導光体２２とを組み合わせることにより、第２のグラフィック表示部ＧＤ２を形成する例を示したが、導光体２２等の他部品を用いることなく、ＥＬパネルそれ自体またはその一部領域によって第２のグラフィック表示部ＧＤ２を形成してもよい。
【００２３】
透過型反射パネル３は、例えば暗色系の色に着色された透光性基材の前面（観察者側）に反射膜を蒸着した半透過反射型のパネル部材からなる。この透過型反射パネル３は、観察者の視線方向Ｅから見たとき、第１の発光表示ユニット１の表示面（前面）を覆い、且つその前面に形成した反射膜が第２の発光表示ユニット２の表示面に対向するように、各発光表示ユニット１，２間に配置されている。なお透過型反射パネル３の視線方向Ｅに対する傾き角度は例えば４５度に設定されている。またこの場合、第２の発光表示ユニット２は、透過型反射パネル３よりも前方（観察者側）であって、観察者からは直接見えない位置に配置される。
【００２４】
制御手段４は、図１に示すように、ＣＰＵ（中央処理ユニット）４１と、複数の駆動回路４２とで構成され、ＣＰＵ４１の出力側に駆動装置１１、光源１５、発光表示素子２１の各々（各発光表示ユニット１，２）を動作させる駆動回路４２ａ，４２ｂ，４２ｃが接続され、これら駆動回路４２ａ，４２ｂ，４２ｃの出力側に駆動装置１１、光源１５、発光表示素子２１の各々が接続されている。またＣＰＵ４１の入力側には図示しないセンサ類の他、バッテリＢとキースイッチ（スイッチ）ＳＷが接続されている。
【００２５】
ＣＰＵ４１は、前記センサ類からの検出信号やキースイッチＳＷからの切替信号に応じて駆動回路４２ａ〜４２ｃに駆動装置１１、光源１５、発光表示素子２１の各々の動作させるための制御信号を出力し、この制御信号を受けて駆動回路４２ａ〜４２ｃが駆動装置１１、光源１５、発光表示素子２１に駆動信号を出力し、これらを動作させるようになっている。
【００２６】
次に図５に基づいて、キースイッチＳＷの操作基づきＣＰＵ４１にて実行される各発光表示ユニット１，２の発光シーケンス（プログラム）及び消灯シーケンス（プログラム）を説明する。
【００２７】
まず観察者によってキースイッチＳＷがオフ状態からオン状態に操作されると（時刻ｔ１）、ＣＰＵ４１にオン信号からなる切替信号が入力され、ＣＰＵ４１は、先ず第２の発光表示ユニット２の発光表示素子２１を発光させる処理を行う。これにより第２の発光表示ユニット２は、キースイッチＳＷがオン操作と略同時に第１，第２のグラフィック表示部ＧＤ１，ＧＤ２を形成し、それらの発光表示像ＧＤＬ１，ＧＤＬ２が透過型反射パネル３を通じて反射され、観察者に虚像として視認される。なおこの場合、発光表示像ＧＤＬ１にて表示される走行距離データは、キースイッチＳＷのオフ直前に図示しない不揮発メモリに記憶されていた値となる。
【００２８】
次にＣＰＵ４１は、時刻ｔ１から所定時間（例えば１秒）経過後となる時刻ｔ２で第１の発光表示ユニット１の光源１５を点灯（発光）させる処理を行う。これにより第１の発光表示ユニット１は、指針式表示部ＰＤを形成し、その指針式発光表示像ＰＤＬが透過型反射パネル３を透過し、図３に示すように虚像となる発光表示像ＧＤＬ１，ＧＤＬ２と共に実像として観察者に視認される。この状態から時刻ｔ３にて示すキースイッチＳＷのオフ操作までは、発光表示像ＧＤＬ１，ＧＤＬ２及び指針式発光表示像ＰＤＬの発光状態が継続され、前記センサ類に応じて発光表示像ＧＤＬ１の値が変化すると共に駆動装置１１の指針１２の振れ角が変化する
【００２９】
ここで、透過型反射パネル３を通じて表示される指針式発光表示像ＰＤＬと発光表示像ＧＤＬ１，ＧＤＬ２は、第１の発光表示ユニット１から透過型反射パネル３に至る指針式発光表示像ＰＤＬの光路長よりも第２の発光表示ユニット１から透過型反射パネル３に至る発光表示像ＧＤＬ１，ＧＤＬ２の光路長の方が長く設定されているため、観察者からは、指針式発光表示像ＰＤＬが発光表示像ＧＤＬ１，ＧＤＬ２よりも前方（手前側）、発光表示像ＧＤＬ１，ＧＤＬ２が指針式発光表示像ＰＤＬよりも後方（奥側）に位置するように、奥行き方向に遠近差を有して視認される（図４参照）。このように発光表示像ＧＤＬ１，ＧＤＬ２と、指針式発光表示像ＰＤＬとが遠近差を有して視認されるため、本実施形態の場合、指針式発光表示像ＰＤＬが発光表示像ＧＤＬ１，ＧＤＬ２上に浮遊するように視認される。
【００３０】
次に時刻ｔ３にて観察者がキースイッチＳＷをオン状態からオフ状態に操作すると、ＣＰＵ４１にオフ信号からなる切替信号が入力され、ＣＰＵ４１は、先ず第１の発光表示ユニット１の光源１５を消灯させる（非発光状態とする）処理を行う。これにより、透過型反射パネル３上に表示されていた指針式発光表示像ＰＤＬが発光表示像ＧＤＬ１，ＧＤＬ２よりも先に消える。
【００３１】
次に時刻ｔ３から所定時間（例えば１秒）経過後となる時刻ｔ４で第２の発光表示ユニット１の発光表示素子２１を消灯する（非発光状態とする）処理を行う。これにより透過型反射パネル３上に表示されていた発光表示像ＧＤＬ１，ＧＤＬ２が消え、無表示状態となる。
【００３２】
なお本実施形態では、第１の発光表示ユニット１において、指針１２用の光源１５と表示板１３用の光源１５とを同時に点灯させたが、時間差を有して点灯させるようにしてもよい。また第２の発光表示ユニット２において、第１，第２のグラフィック表示部ＧＤ１，ＧＤ２を同時に発光させたが、時間差を有して点灯させるようにしてもよい。
【００３３】
以上のように本実施形態では、指針式表示部ＰＤの指針式発光表示像（第１の表示像）ＰＤＬを発光表示する第１の発光表示ユニット（第１の発光体）１と、第１，第２のグラフィック表示部ＧＤ１，ＧＤ２の発光表示像（第２の表示像）ＧＤＬ１，ＧＤＬ２を発光表示する第２の発光表示ユニット（第２の発光体）２と、これら第１，第２の発光表示ユニット１，２の間に配置され指針式発光表示像ＰＤＬを観察者側に透過し、発光表示像（第２の表示像）ＧＤＬ１，ＧＤＬ２を観察者側に反射する透過型反射パネル３と、第１，第２の発光表示ユニット１，２の発光状態を制御する制御手段４とを備えており、制御手段４は所定のスイッチＳＷ操作に応じて第１，第２の発光表示ユニット１，２を所定の順序で発光または非発光状態とすることにより、スイッチＳＷオン・オフ時の表示像の現れ方や消え方の単調さを解消し、面白みや斬新性を付与することができる。
【００３４】
また本実施形態では、第１の発光表示ユニット１で形成される指針式発光表示像ＰＤＬと、第２の発光表示ユニット２で形成される発光表示像ＧＤＬ１，ＧＤＬ２が遠近差を有して観察者に視認されるよう構成されており、このように遠近差を有して視認される指針式発光表示像ＰＤＬと、発光表示像ＧＤＬ１，ＧＤＬ２とが時間差を有して発光または非発光状態となることにより、スイッチＳＷオン・オフ時の見せ方に奥行き感、立体感を持たせることができる。
【００３５】
すなわち、本実施形態では、第２の発光表示ユニット２を発光させた後、第１の発光表示ユニット１を発光させることで、観察者から見て遠方に視認される発光表示像ＧＤＬ１，ＧＤＬ２が先に表示され、次いで発光表示像ＧＤＬ１，ＧＤＬ２よりも近くに視認される指針式発光表示像ＰＤＬが表示されるため、スイッチＳＷオン時の見せ方に奥行き感、立体感を持たせることができる。
【００３６】
なお、表示像の表示順序は、上記のごとく「遠近」の順ではなく、「近遠」の順、すなわち指針式発光表示像ＰＤＬが先で発光表示像ＧＤＬ１，ＧＤＬ２が後で表示されるようにしてもよい。
【００３７】
また本実施形態では、第１の発光表示ユニット１を非発光状態とした後、第２の発光表示ユニット２を非発光状態とすることで、観察者から見て近くに視認される指針式発光表示像ＰＤＬが先に消え、次いで指針式発光表示像ＰＤＬよりも遠方に視認される発光表示像ＧＤＬ１，ＧＤＬ２が消えるため、スイッチＳＷオフ時の見せ方に奥行き感、立体感を持たせることができる。
【００３８】
なお、表示像の消失順序は、上記のごとく「近遠」の順ではなく、「遠近」の順であってもよい。
【００３９】
また本実施形態では、第１，第２の発光表示ユニット１，２で実像・虚像表示を行う例を示したが、実像または虚像表示を行う他の発光表示ユニットを設け、この他の発光表示ユニットも含めて発光・非発光時期が異なるようにしてもよく、あくまで実像と虚像との間でそれらの表示・非表示時期が異なるよう構成してあればよい。
【発明の効果】
以上詳述したように、本発明によれば、所期の目的を達成することができ、スイッチオン・オフ時の表示像の現れ方や消え方の単調さを解消し、面白みや斬新性を付与することが可能な表示装置を提供することができる。
【図面の簡単な説明】
【図１】本発明の実施形態による車両用表示装置の断面図。
【図２】本実施形態で採用される第２の発光体を示す断面図。
【図３】本実施形態による表示像を正面から見たときの正面図。。
【図４】本実施形態による表示像を斜め前方から見たときの斜視図。
【図５】本実施形態による各発光表示ユニットの発光・非発光時期を示すタイミング図。
【符号の説明】
１　第１の発光表示ユニット（第１の発光体）
２　第２の発光表示ユニット（第２の発光体）
３　透過型反射パネル
４　制御手段
１１　駆動装置
１２　指針
１３　表示板
１４　指標部
１５　光源
２１　発光表示体
２２　導光体
２３　ケース
４１　ＣＰＵ
４２，４２ａ〜４２ｃ　駆動回路
２１１　ガラス基板
２１２　金属電極
２１３　有機発光層
２１４　透明電極
２１５　封止枠
２１４ａ　電極部
２１４ｂ　電極部
２２１　受光部
２２２　板状部
２２３　照射部
Ｂ　バッテリ
Ｅ　視線方向（視線軸）
ＧＤ１　第１のグラフィック表示部
ＧＤ２　第２のグラフィック表示部
ＧＤＬ１　発光表示像（第２の表示像）
ＧＤＬ２　発光表示像（第２の表示像）
ＰＤ　指針式表示部
ＰＤＬ　指針式発光表示像（第１の表示像）
ＳＷ　キースイッチ（スイッチ）
【図１】
2004061325.tif 000003
【図２】
2004061325.tif 000004
【図３】
2004061325.tif 000005
【図４】
2004061325.tif 000006
【図５】
2004061325.tif 000007